(57)【要約】【課題】射撃効率が高く、給弾が順調で、ジャム、弾詰まりの強制二重排除の効果を有するＢＢ弾給弾装置を提供する。【解決手段】給弾本体（１）と、推弾ユニット（２）と、断電ユニット（３）と、排弾ユニット（４）と、ローダー（５）とを備える。推弾ユニットのウォーム（２１）は、給弾本体の第１収容溝（１１）を貫通し、推弾ユニット上のモーター（２３）を利用して作動輪（２２）を動かして回転させ、ウォームを連動してローダー内のＢＢ弾（５１）を導き発射させる。停止時には、ＢＢ弾がなくなり、このモーターが回転を続け、ウォームを連動して後退させ、対応する断電ユニットを作動して断電する。弾詰まり時には、排弾ユニットの押さえ棒（４１）を押して、タクティルスイッチ（４３）を同時に作動してモーターを駆動し、ウォームを連動して後退させ、反転させて、弾詰まりを排除する。【選択図】図１
0003150143.tif 000002
【実用新案登録請求の範囲】
【請求項１】
中央には第１収容溝が設けてあり、最上端には第１収容溝に接続した嵌合溝が設けてあり、末端には第２収容溝を有し、先端には第３収容溝が設けてある給弾本体と、
給弾本体の第１収容溝に設けられたウォームを有し、該ウォームはモーターに動かされ回転する作動輪が貫通してある推弾ユニットと、
給弾本体の第２収容溝に設けられ、台座を有し、台座先端にはハウジングおよび押し棒が突伸してあり、かつハウジングと押し棒との間に第１弾性素子が被せてあると同時に、台座末端に、押し棒に対応して、断電可能な断電スイッチが設けてあり、かつ押し棒と推弾ユニットのウォームに対応して当接する断電ユニットと、
給弾本体の第３収容溝に設けられ、第２弾性素子に被せられ、推弾ユニットのウォームに対応した押さえ棒を有し、押さえ棒末端にタクティルスイッチを有する排弾ユニットと、を備えたことを特徴とする、ＢＢ弾給弾装置。
【請求項２】
給弾本体の嵌合溝に嵌設されたローダーをさらに備えたことを特徴とする、請求項１に記載のＢＢ弾給弾装置。
【請求項３】
断電スイッチが微動スイッチであることを特徴とする、請求項１に記載のＢＢ弾給弾装置。
【請求項４】
断電スイッチが磁気感応スイッチであることを特徴とする、請求項１に記載のＢＢ弾給弾装置。
【請求項５】
断電スイッチが光感応スイッチであることを特徴とする、請求項１に記載のＢＢ弾給弾装置。
【請求項６】
ハウジング中央には、押し棒に対応して貫通し枢設した貫通孔が設けてあることを特徴とする、請求項１に記載のＢＢ弾給弾装置。
【請求項７】
排弾ユニットの押さえ棒は押すと同時に、タクティルスイッチを作動し、モーターを駆動してウォームを連動し、後退させ反転させることを特徴とする、請求項１に記載のＢＢ弾給弾装置。
【請求項８】
タクティルスイッチが電気接続モーターであることを特徴とする、請求項１に記載のＢＢ弾給弾装置。
【考案の詳細な説明】
【技術分野】
【０００１】
本考案は、弾給弾装置に係り、特にＢＢガンに応用し、自動給弾を順調にし、ジャム、弾詰まり強制排除の効果を達成するＢＢ弾給弾装置に関する。
【背景技術】
【０００２】
従来の高圧気体を利用してＢＢ弾を発射する発射制御方式は、引き金を制御して発射するが、この方式では空撃ちがよくもたらされる。
【０００３】
空撃ちおよび高圧気体の無駄を防止するため、本出願人は研究開発を行い、特許を出願した。これは、特許文献１「制御ＢＢ弾発射の電子制御装置」として公告されており、センサーを利用してＢＢ弾発射を検出する電子制御装置であり、発射効率を高めることができる。
【０００４】
しかしながら、ＢＢガンは、銃身上端にＢＢ弾を収容するローダーが接続して設けられ、ローダー落弾制御構造については、図７を参照する。ローダー（Ａ）に直流モーター（Ｂ）が設けてあり、直流モーター（Ｂ）を介して回転器（Ｃ）を駆動し、ＢＢ弾（Ｄ）を銃身（Ｅ）に向けて送る。しかし、実際の操作、使用において、こうしたローダー（Ａ）ではジャム、弾詰まりがよく発生することが分かっている。
【先行技術文献】
【特許文献】
【０００５】
【特許文献１】台湾特許第９７２１１０２２号公報
【考案の概要】
【考案が解決しようとする課題】
【０００６】
本考案の主な目的は、ＢＢ弾給弾装置を提供し、特に射撃時にモーターが同時にウォームを動かして給弾し、停止時に、ウォームが後退して断電スイッチに接触し、モーターを断電し、排弾ユニットを介して弾詰まりを強制排除し、自動給弾の順調な効果を達成するＢＢ弾給弾装置を提供することにある。
【課題を解決するための手段】
【０００７】
本考案で提供するＢＢ弾給弾装置は、給弾本体と、推弾ユニットと、断電ユニットと、排弾ユニットと、ローダーとを備える。
【０００８】
給弾本体は、中央に第１収容溝が設けてあり、最上端には第１収容溝に接続した嵌合溝が設けてある。末端には第２収容溝を有し、先端にも第３収容溝が設けてある。この第１収容溝および第２収容溝には、それぞれ推弾ユニットのウォームと断電ユニットとを設け、また、先端の第３収容溝には、排弾ユニットが嵌合してある。
【０００９】
推弾ユニットは、モーターに動かされ回転する作動輪が貫通しているウォームを有する。
【００１０】
断電ユニットは、台座を有し、台座先端にはハウジングおよび押し棒が突伸してあり、かつハウジングと押し棒との間に第１弾性素子が被せてある。同時に、台座末端に、押し棒に対応して、断電可能な断電スイッチが設けてあり、かつ断電ユニットの押し棒も、推弾ユニットのウォームに対応して当接する。
【００１１】
排弾ユニットは、第２弾性素子に被せられ、推弾ユニットのウォームに対応した押さえ棒を有し、押さえ棒末端にタクティルスイッチも有する。
【００１２】
給弾本体先端の下縁に、固定座が延伸し、固定座内にはガイド溝を有する。
【００１３】
ハウジング中央には、押し棒に対応して貫通し枢設した貫通孔が設けてある。
【００１４】
断電スイッチは、微動スイッチである。
【００１５】
断電スイッチは、磁気感応スイッチである。
【００１６】
断電スイッチは、光感応スイッチである。
【００１７】
押さえ棒は、押すと同時にタクティルスイッチを作動し、モーターを駆動してウォームを連動して後退させ反転させる。
【００１８】
タクティルスイッチは、電気接続モーターを有する。
【００１９】
ローダーは、給弾本体最上端の嵌合溝に直接挿設する。
【考案の効果】
【００２０】
本考案は、次のような効果を奏する。
１．＜装填回数を減らす＞ＢＢ弾ローダー内への装填に用いる部品がなく、装填量が多く、ＢＢ弾装填回数を減らすことができる。
２．＜効率が高い＞ローダーを給弾本体最上端の嵌合溝に直接挿設すると、ＢＢ弾の給弾が完了できる。
３．＜操作が便利＞給弾本体の固定座を直接利用して銃身の落弾口に嵌合し、発射に備えることができる。
４．＜弾がなくなると断電＞ＢＢ弾がなくなった時に、モーターは回転を続ける。このとき、ＢＢ弾は相互に押してモーターがウォームを連動して後退させる。ウォームは、対応して押し棒に当接し、押し棒が断電スイッチに接触して断電するまで第１弾性素子を圧縮することができる。
５．＜強制弾詰まり排除＞排弾ユニットの押さえ棒は、対応して推弾ユニットのウォームを押し、ウォームを利用してＢＢ弾を押して再配列し、弾詰まりを強制排除することができる。
６．＜二重弾詰まり排除＞押さえ棒がウォームに対応してタクティルスイッチを押すと同時に作動し、このタクティルスイッチがモーターを動かしてウォームを連動して反転させるため、弾詰まりを二重排除することができる。
【図面の簡単な説明】
【００２１】
【図１】本考案の断面図である。
【図２】図１のＡ−Ａの断面図である。
【図３】本考案の給弾本体の上面図である。
【図４】本考案の銃を組み立てた概略図である。
【図５】本考案の弾がなくなって断電したときの概略図である。
【図６】本考案の弾詰まり排除の概略図である。
【図７】公知技術の概略図である。
【考案を実施するための形態】
【００２２】
先ず、図１に示すように、本考案は、給弾本体（１）と、推弾ユニット（２）と、断電ユニット（３）と、排弾ユニット（４）と、ローダー（５）とを備える。
【００２３】
給弾本体（１）は、中央に第１収容溝（１１）が設けてあり、最上端には第１収容溝（１１）に接続した嵌合溝（１２）が設けてある。末端にも第２収容溝（１３）を有する。第１収容溝（１１）および第２収容溝（１３）には、それぞれ推弾ユニット（２）のウォーム（２１）と断電ユニット（３）とを設け、また、先端の第３収容溝（１４）には、排弾ユニット（４）が嵌合してある。また、給弾本体（１）先端の下縁に、固定座（１５）が延伸し、固定座（１５）内にはＢＢ弾（５１）を導くガイド溝（１５１）を有する。
【００２４】
推弾ユニット（２）は、ウォーム（２１）を有する。ウォーム（２１）には、モーター（２３）に動かされ輪ゴムまたはベルトのように回転する作動輪（２２）が貫通してある。
【００２５】
断電ユニット（３）は、推弾ユニット（２）に対応し、給弾本体（１）に設けられた第２収容溝（１３）は台座（３１）を有する。台座（３１）先端にはハウジング（３２）および押し棒（３４）が突伸してあり、ハウジング（３２）中央には貫通孔（３３）が設けられ、押し棒（３４）に対応して貫通し、枢設する。かつ、ハウジング（３２）と押し棒（３４）との間に第１弾性素子（３５）が被せてあり、断電ユニット（３）の押し棒（３４）を推弾ユニット（２）のウォーム（２１）に当接させる。同時に、台座（３１）末端に、押し棒（３４）に対応して、断電可能な断電スイッチ（３６）が設けてある。断電スイッチ（３６）は微動スイッチ、磁気感応スイッチまたは光感応スイッチのいずれかである。
【００２６】
排弾ユニット（４）は、推弾ユニット（２）のウォーム（２１）に対応し、給弾本体（１）の第３収容溝（１４）に設けられる。押さえ棒（４１）を有し、第２弾性素子（４２）に被せられ、推弾ユニット（２）のウォーム（２１）を押し、弾詰まりを強制排除するために用いられる。押さえ棒（４１）末端には、タクティルスイッチ（４３）を有する。タクティルスイッチ（４３）は、モーター（２３）に電気接続して駆動する。さらに、タクティルスイッチ（４３）を押すと同時に作動し、モーター（２３）を駆動してウォーム（２１）を連動し、後退させて反転させ、弾詰まりの二重排除に用いる。
【００２７】
ローダー（５）は、ＢＢ弾（５１）の装填に用い、給弾本体（１）最上端の嵌合溝（１２）に直接挿設する。
【００２８】
組立時には、図１〜３に示すように、推弾ユニット（２）のウォーム（２１）を給弾本体（１）の第１収容溝（１）に貫通させ、断電ユニット（３）を推弾ユニット（２）に対応させ、給弾本体（１）の第２収容溝（１３）に設置する。このとき、断電ユニット（３）の押し棒（３４）が推弾ユニット（２）のウォーム（２１）に当接する。さらに、排弾ユニット（４）を給弾本体（１）の第３収容溝（１４）に組立て、ウォーム（２１）の他端に対応して当接する。ＢＢ弾（５１）が装填してあるローダー（５）を給弾本体（１）最上端の嵌合溝（１２）に嵌合する。
【００２９】
銃に応用し、作動するときは、図４に示すように、給弾本体（１）の固定座（１５）を銃身（６）の落弾口（６１）に嵌合する。射撃時には、推弾ユニット（２）のモーター（２３）が作動輪（２２）を回転させ、ウォーム（２１）を連動し、ローダー（５）内のＢＢ弾（５１）を出す。かつ、固定座（１５）のガイド溝（１５１）に沿って、銃身（６）の落弾口（６１）に導いて入れ、発射させる。
【００３０】
発射停止時には、図５に示すように、ＢＢ弾（５１）がなくなったときに、モーター（２３）は回転を続ける。このとき、ＢＢ弾（５１）は相互に押してモーター（２３）が作動輪（２２）を動かすと同時に、ウォーム（２１）を連動して後退させる。押し棒（３４）に対応して当接し、押し棒（３４）が断電スイッチ（３６）に接触して断電するまで第１弾性素子（３５）を圧縮する。
【００３１】
再給弾時には、ＢＢ弾（５１）が発射され、ＢＢ弾（５１）が相互に押さなくなる。かつ第１弾性素子（３５）自身の弾性を利用してウォーム（２１）を押し動かし、断電スイッチ（３６）を引きはずし、すぐに給電を回復し、モーター（２３）が回転を続け、推弾するようにする。
【００３２】
弾詰まり時には、図６に示すように、排弾ユニット（４）の押さえ棒（４１）を押して第２弾性素子（４２）を圧縮するだけで、押さえ棒（４１）が推弾ユニット（２）のウォーム（２１）に対応して押し、弾詰まりを強制排除する。さらに、タクティルスイッチ（４３）が押されると同時に作動する。タクティルスイッチ（４３）は、モーター（２３）に電気接続して駆動し、ウォーム（２１）を反転して連動し、弾詰まりを二重排除する。
【符号の説明】
【００３３】
（１）        給弾本体
（１１）      第１収容溝
（１２）      嵌合溝
（１３）      第２収容溝
（１４）      第３収容溝
（１５）      固定座
（１５１）    ガイド溝 
（２）        推弾ユニット
（２１）      ウォーム
（２２）      作動輪
（２３）      モーター  
（３）        断電ユニット
（３１）      台座  
（３２）      ハウジング
（３３）      貫通孔
（３４）      押し棒
（３５）      第１弾性素子
（３６）      断電スイッチ 
（４）        排弾ユニット
（４１）      押さえ棒
（４２）      第２弾性素子
（４３）      タクティルスイッチ
（５）        ローダー
（５１）      ＢＢ弾
（６）        銃身
（６１）      落弾口
（Ａ）        ローダー
（Ｂ）        直流モーター
（Ｃ）        回転器          
（Ｄ）        ＢＢ弾    
（Ｅ）        銃身
【図１】
0003150143.tif 000003
【図２】
0003150143.tif 000004
【図３】
0003150143.tif 000005
【図４】
0003150143.tif 000006
【図５】
0003150143.tif 000007
【図６】
0003150143.tif 000008
【図７】
0003150143.tif 000009